(57)【要約】      （修正有）【課題】機械調整画面で機械調整後、実行指示画面に切り替え、再度調整が必要になったとしても、ユーザーに操作画面を切り替えさせる状態を抑制することのできる画像形成装置、画像形成装置の制御方法、制御プログラムの提供。【解決手段】実行指示画面７０が表示されるまでに、複数の機械調整画面において機械調整値の一次更新が行われた場合には、一次更新が行われた複数の機械調整画面に対応する機械調整項目についての項目名７２と機械調整値が更新ウィンドウ７１に表示される。【選択図】図８
2016129969.tif 000002
【特許請求の範囲】
【請求項１】
自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、
前記実行指示画面を表示するとき、前記機械調整画面において前記機械調整値が一次的に更新されていた場合は、前記機械調整画面に含まれる前記機械調整項目の前記機械調整値をニ次的に更新するための更新ウィンドウを、前記実行指示画面と併せて前記操作表示部に表示さる制御部と、を備えることを特徴する画像形成装置。
【請求項２】
前記更新ウィンドウは、前記機械調整値が一次的に更新された前記機械調整画面に含まれる前記機械調整項目のうち、前記機械調整値が一次的に更新された機械調整項目を含む、一部の前記機械調整項目を表示することを特徴とする請求項１に記載の画像形成装置。
【請求項３】
前記更新ウィンドウは、当該更新ウィンドウに表示される前記機械調整項目の前記機械調整値を入力するための第１の入力手段を含む請求項１または２に記載の画像形成装置。
【請求項４】
前記第１の入力手段は、前記機械調整値の値を増加させるためのボタンと、前記機械調整値の値を減少させるためのボタンとを含むことを特徴する請求項３に記載の画像形成装置。
【請求項５】
前記第１の入力手段は前記機械調整値を入力するためのテンキーを含むことを特徴する請求項３または４に記載の画像形成装置。
【請求項６】
前記更新ウィンドウは、当該更新ウィンドウに表示される前記機械調整項目のうちから更新対象の前記機械調整項目を選択する選択手段を含むことを特徴とする請求項１〜５のいずれか一項に記載の画像形成装置。
【請求項７】
前記更新ウィンドウは、当該更新ウィンドウに表示されていない前記機械調整項目を表示させるための表示切替手段を含むことを特徴とする請求項１〜６のいずれか一項に記載の画像形成装置。
【請求項８】
前記操作表示部は、前記更新ウィンドウとは別に、当該更新ウィンドウに表示される前記機械調整項目の前記機械調整値を入力するための第２の入力手段を備えることを特徴とする請求項１〜７のいずれか一項に記載の画像形成装置。
【請求項９】
前記機械調整画面は、項目選択画面を経由して表示されるものであって、
前記制御部は、前記実行指示画面を閉じたときに、前記機械調整画面が表示される直前に表示されていた前記項目選択画面を前記操作表示部に表示させることを特徴とする請求項１〜８のいずれか一項に記載の画像形成装置。
【請求項１０】
前記画像形成装置は、予め前記更新ウィンドウを表示させるか否かの設定を受け付け、前記更新ウィンドウを表示させる設定がされている場合に、前記更新ウィンドウを前記操作表示部に表示させることを特徴とする請求項１〜９のいずれか一項に記載の画像形成装置。
【請求項１１】
画像形成装置と、
給紙装置または後処理装置とを備える画像形成システムであって、
前記画像形成装置、前記給紙装置または前記後処理装置が備える機械に関する機械調整項目の機械調整値を受け付け可能な機械調整画面、及び少なくとも給紙トレイの選択と画像形成の実行指示とを受け付け可能な実行指示画面を表示可能な操作表示部と、
前記実行指示画面を表示するとき、前記機械調整画面において前記機械調整値が一次的に更新されていた場合は、前記機械調整画面に含まれる前記機械調整項目の前記機械調整値を二次的に更新するための更新ウィンドウを、前記実行指示画面と併せて前記操作表示部に表示させる制御部と、を備えることを特徴する画像形成システム。
【請求項１２】
自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、
前記操作表示部を制御する制御部とを備える画像形成装置において、
前記実行指示画面を表示するとき、前記機械調整画面において前記機械調整値が一次的に更新されていた場合は、前記機械調整画面に含まれる前記機械調整項目の前記機械調整値を二次的に更新するための更新ウィンドウを、前記実行指示画面と併せて前記操作表示部に表示する画像形成装置の制御方法。
【請求項１３】
画像形成装置と、
給紙装置または後処理装置とを備える画像形成システムであって、
前記画像形成装置、前記給紙装置または前記後処理装置が備える機械に関する機械調整項目の機械調整値を受け付け可能な機械調整画面、及び少なくとも給紙トレイの選択と画像形成の実行指示とを受け付け可能な実行指示画面を表示可能な操作表示部と、
前記操作表示部を制御する制御部とを備える画像形成システムにおいて、
前記実行指示画面を表示するとき、前記機械調整画面において前記機械調整値が一次的に更新されていた場合は、前記機械調整画面に含まれる前記機械調整項目の前記機械調整値を二次的に更新するための更新ウィンドウを、前記実行指示画面と併せて前記操作表示部に表示する画像形成装置の制御方法。
【請求項１４】
自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、
前記操作表示部を制御する制御部とを備える画像形成装置に、
前記実行指示画面を表示するとき、前記機械調整画面において前記機械調整値が一次的に更新されていた場合は、前記機械調整画面に含まれる前記機械調整項目の前記機械調整値を二次的に更新するための更新ウィンドウを、前記実行指示画面と併せて前記操作表示部に表示させる制御プログラム。
【発明の詳細な説明】
【技術分野】
【０００１】
本発明は、画像形成装置、画像形成装置の制御方法、制御プログラム、画像形成システム、画像形成システムの制御方法に関する。
【背景技術】
【０００２】
コピー機能や、プリント機能、スキャン機能を備える複合機は、ユーザーから、実行するジョブに関するジョブ設定（例えば、部数、印刷倍率、片面／両面印刷）の他に、複合機が備える機械に関する調整を行うための機械調整設定を受け付ける。
【０００３】
オフィス等で使用されている小型・中型の複合機では、一般的に、複合機を初めて設置するタイミングや機械部品を交換したタイミングで機械調整の設定（機械調整設定）を受け付け、ジョブを実行するタイミングでは、ジョブ設定のみを受け付ける。
【０００４】
一方で、プリントショップ等で使用される大型の複合機では、出力する印刷物に対し高い品質（精度）が求められるため、実行するジョブに合わせて複合機が備える機械に関する調整が必要になることがある。そのような場合には、ジョブを実行するタイミングで、ユーザーから、ジョブ設定に加えて、機械調整設定も受け付ける。
【０００５】
このようにジョブに対応して機械調整設定を行う場合、機械調整設定を行った後に試し刷りを行い、印刷物が所望の仕上がりであるかを確認した上で、正式にジョブを実行させることが多い。このとき、試し刷りの結果、印刷物が所望の仕上がりでなかった場合は、再度、機械調整設定を行った上で試し刷りを行う。前述のとおり、大型の複合機では高い精度が求められるため、ユーザーは、所望の仕上がりが得られるまで、機械調整設定と試し刷りとを何度も繰り返すことがあり、その作業に煩わしさを感じることがあった。
【０００６】
このような課題に対し、先行文献１には、画像形成を行う画像形成部と、キー入力による操作とポインティングデバイスによる操作とを受け付けると共に該操作に関連する表示を行う操作部と、操作部からの操作に応じて前記画像形成部を制御する制御部と、を有し、画像形成装置各部を調整する調整モードを少なくとも有する画像形成装置であって、前記制御部は、前記調整モード時において、前記ポインティングデバイスによる操作を、調整値の変更あるいは入力の操作に割り当てるよう制御する画像形成装置が開示されている。
【先行技術文献】
【特許文献】
【０００７】
【特許文献１】特開２０１３−０２８１０６号公報
【発明の概要】
【発明が解決しようとする課題】
【０００８】
特許文献１によると、操作表示部と排紙部が離れていたとしても、調整モードにおいてポインティングデバイスによる操作を行うことができるため、操作表示部と排紙部の間を行き来する必要がなくなる、つまり、ユーザーの物理的な移動距離を抑制するという観点で、調整についてのユーザーの煩わしさを抑制することができる。
【０００９】
ここで、大型の複合機においては、一般的に、操作表示部に表示される、機械調整設定を受け付ける操作画面（機械調整画面）において、機械調整設定を受け付けた後に、画像形成に関する実行指示を受け付ける操作画面（実行指示画面）に移行（移動）して、試し刷りの実行指示を受け付ける。このとき、ユーザーは、実行するジョブに合わせて、機械調整画面で機械調整設定を行った後、実行指示画面に移動して用紙選択等の設定を行った上で、試し刷りの実行指示を行う。そして、ユーザーは、試し刷りにより所望の仕上がりの印刷物が得られるまで、機械調整画面に戻って機械調整設定を行い、実行指示画面に移動して用紙選択等の設定を行い、試し刷りの実行指示を行うという作業を繰り返す必要があり、操作画面上の操作性において煩わしさを感じることがあった。
【００１０】
前述の特許文献１は、ユーザーの物理的な移動距離を抑制するという観点で、機械調整設定についてのユーザーの煩わしさを抑制することを目的としたものであり、機械調整設定と試し刷りを実行するときに複数の画面を切り替えながら操作するという、操作画面における操作性については一切考慮されていなかった。
【００１１】
なお、機械調整設定において、ユーザーが操作画面における操作性に煩わしさを感じるという前述の課題は、複合機に限らず、プリンターやコピー等の画像形成機能を有する画像形成装置全般に共通する課題であった。また、小型・中型の画像形成装置についても、印刷物に対し高い精度が求められる場合には発生しうる課題であり、大型の画像形成装置に限らず、小型・中型・大型の画像形成装置に共通する課題であった。
【００１２】
本発明は、上記問題に対して鑑みてなされたものであって、機械調整設定と印刷実行指示とを連続して行う場合の、ユーザーの操作性を向上させることができる画像形成装置、画像形成装置の制御方法、制御プログラム、画像形成システム、画像形成システムの制御方法の提供を目的とする。
【課題を解決するための手段】
【００１３】
（１）自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、実行指示画面を表示するとき、機械調整画面において機械調整値が一次的に更新されていた場合は、機械調整画面に含まれる機械調整項目の機械調整値を二次的に更新するための更新ウィンドウを、実行指示画面と併せて操作表示部に表示させる制御部と、を備えることを特徴する画像形成装置。
【００１４】
（２）更新ウィンドウは、機械調整値が一次的に更新された機械調整画面に含まれる機械調整項目のうち、機械調整値が一次的に更新された機械調整項目を含む、一部の機械調整項目を表示することを特徴とする上記（１）に記載の画像形成装置。
【００１５】
（３）更新ウィンドウは、当該更新ウィンドウに表示される機械調整項目の機械調整値を入力するための第１の入力手段を含む上記（１）または（２）に記載の画像形成装置。
【００１６】
（４）第１の入力手段は、機械調整値の値を増加させるためのボタンと、機械調整値の値を減少させるためのボタンとを含むことを特徴する上記（３）に記載の画像形成装置。
【００１７】
（５）第１の入力手段は機械調整値を入力するためのテンキーを含むことを特徴する上記（３）または（４）に記載の画像形成装置。
【００１８】
（６）更新ウィンドウは、当該更新ウィンドウに表示される機械調整項目のうちから更新対象の機械調整項目を選択する選択手段を含むことを特徴とする上記（１）〜（５）のいずれか一つに記載の画像形成装置。
【００１９】
（７）更新ウィンドウは、当該更新ウィンドウに表示されていない機械調整項目を表示させるための表示切替手段を含むことを特徴とする上記（１）〜（６）のいずれか一つに記載の画像形成装置。
【００２０】
（８）操作表示部は、更新ウィンドウとは別に、当該更新ウィンドウに表示される機械調整項目の機械調整値を入力するための第２の入力手段を備えることを特徴とする上記（１）〜（７）のいずれか一つに記載の画像形成装置。
【００２１】
（９）機械調整画面は、項目選択画面を経由して表示されるものであって、制御部は、実行指示画面を閉じたときに、機械調整画面が表示される直前に表示されていた項目選択画面を操作表示部に表示させることを特徴とする上記（１）〜（８）いずれか一つに記載の画像形成装置。
【００２２】
（１０）画像形成装置は、予め更新ウィンドウを表示させるか否かの設定を受け付け、更新ウィンドウを表示させる設定がされている場合に、更新ウィンドウを操作表示部に表示させることを特徴とする上記（１）〜（９）のいずれか一つに記載の画像形成装置。
【００２３】
（１１）画像形成装置と、給紙装置または後処理装置とを備える画像形成システムであって、画像形成装置、給紙装置または後処理装置が備える機械に関する機械調整項目の機械調整値を受け付け可能な機械調整画面、及び少なくとも給紙トレイの選択と画像形成の実行指示とを受け付け可能な実行指示画面を表示可能な操作表示部と、実行指示画面を表示するとき、機械調整画面において機械調整値が一次的に更新されていた場合は、機械調整画面に含まれる機械調整項目の機械調整値を二次的に更新するための更新ウィンドウを、実行指示画面と併せて操作表示部に表示させる制御部と、を備えることを特徴する画像形成システム。
【００２４】
（１２）自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、操作表示部を制御する制御部とを備える画像形成装置において、実行指示画面を表示するとき、機械調整画面において機械調整値が一次的に更新されていた場合は、機械調整画面に含まれる機械調整項目の機械調整値を二次的に更新するための更新ウィンドウを、実行指示画面と併せて操作表示部に表示する画像形成装置の制御方法。
【００２５】
（１３）画像形成装置と、給紙装置または後処理装置とを備える画像形成システムであって、画像形成装置、給紙装置または後処理装置が備える機械に関する機械調整項目の機械調整値を受け付け可能な機械調整画面、及び少なくとも給紙トレイの選択と画像形成の実行指示とを受け付け可能な実行指示画面を表示可能な操作表示部と、操作表示部を制御する制御部とを備える画像形成システムにおいて、実行指示画面を表示するとき、機械調整画面において機械調整値が一次的に更新されていた場合は、機械調整画面に含まれる機械調整項目の機械調整値を二次的に更新するための更新ウィンドウを、実行指示画面と併せて操作表示部に表示する画像形成装置の制御方法。
【００２６】
（１４）自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、操作表示部を制御する制御部とを備える画像形成装置に、実行指示画面を表示するとき、機械調整画面において機械調整値が一次的に更新されていた場合は、機械調整画面に含まれる機械調整項目の機械調整値を二次的に更新するための更新ウィンドウを、実行指示画面と併せて操作表示部に表示させる制御プログラム。
【発明の効果】
【００２７】
本発明に係る画像形成装置、画像形成装置の制御方法、制御プログラム、画像形成システム、画像形成システムの制御方法によると、自機が備える機械に関する機械調整項目の機械調整値を受け付け可能な機械調整画面、及び少なくとも給紙トレイの選択と画像形成の実行指示とを受け付け可能な実行指示画面を表示可能な操作表示部と、実行指示画面を表示するとき、機械調整画面において機械調整値が更新されていた場合は、機械調整画面に含まれる機械調整項目の機械調整値を更新するための更新ウィンドウを、実行指示画面と併せて操作表示部に表示させる制御部と、を備えるので、試し刷りの後、再度機械調整が必要になったとしても、機械調整設定と印刷実行指示とを連続して行う場合の、ユーザーの操作性を向上させることができる。
【図面の簡単な説明】
【００２８】
【図１】画像形成システム１の全体構成図を示す図である。
【図２】画像形成システム１のハードウェアブロック図である。
【図３】操作表示部１０がユーザーから指示を受け付ける操作画面を表示する制御に関する機能ブロック図である。
【図４】画像形成システム１の記憶部２８が記憶する情報に関する機能ブロック図である。
【図５】初期画面５０を示す操作画面である。
【図６】項目選択画面５２を示す操作画面である。
【図７】機械調整画面６０を示す操作画面である。
【図８】図８（ａ）は実行指示画面７０を表示させた操作画面であり、図８（ｂ）は実行指示画面に更新ウィンドウ７２を併せて表示させた操作画面である。
【図９】図９（ａ）は、更新ウィンドウ７２に、インクリメントボタン７５、デクリメントボタン７６を表示させた操作画面であり、図９（ｂ）は、更新ウィンドウ７２にテンキー（更新ウィンドウ）７７を表示させた操作画面である。
【図１０】機械調整項目を機能毎、機械毎とで予めカテゴリー分けした階層構造である。
【図１１】像形成システム１が実行する操作画面を表示する処理に関するフローチャートである。
【図１２】ステップＳ３０１の実行指示画面７０に関する表示・操作受付処理のサブルーチンである。
【発明を実施するための形態】
【００２９】
背景技術で説明したように、従来の画像形成装置は、自機が備える機械に関する調整を行うための設定（機械調整設定）を行う場合に、機械調整設定を受け付ける操作画面（機械調整画面）と画像形成に関する実行指示を受け付ける操作画面（実行指示画面）とを何度も移動しなければならず、ユーザーが煩わしさを感じるという課題があった。
【００３０】
そこで、本発明に係る画像形成システム１は、機械調整画面６１において、自システムが備える機械に関する機械調整設定が行われた場合に、実行指示画面７０と併せて、機械調整に関する調整値の更新を受け付けるための更新ウィンドウ７１を表示させるものである。
【００３１】
ここで、機械を調整する（機械調整）とは、例えば、画像形成システム１が備える画像形成部９に給紙される用紙を給紙するタイミングを調整したり、用紙のうら面を画像生成するタイミングを調整したりすることである。但し、機械調整は、前述の例に限らず、画像形成装置３が備える操作表示部１０を介して調整可能な、機械に関する調整全般のことを示す。
【００３２】
なお、以下の説明において、機械調整に関する項目のことを機械調整項目と呼び、機械調整項目に対応する調整値のことを機械調整値と呼ぶことがある。
【００３３】
（実施形態）
図１は、本発明の実施形態に係る画像形成システム１の全体構成図である。画像形成システム１は、給紙装置２、画像形成装置３、後処理装置４を備え、それらが連携されて構成されている。
【００３４】
給紙装置２は、複数の、大容量給紙トレイ８ａ〜８ｃを備え、それぞれの給紙トレイ８ａ〜８ｃに収容された用紙を画像形成装置３に対して供給する。
【００３５】
画像形成装置３は、主に、自動原稿搬送部５、原稿読取部６、給紙部７、画像形成部９、操作表示部１０から構成されている。
【００３６】
自動原稿搬送部（ＡＤＦ：Ａｕｔｏ  Ｄｏｃｕｍｅｎｔ  Ｆｅｅｄｅｒ）５は、原稿台上に載置された原稿を、原稿読取部６の読取位置に自動的に搬送する。
【００３７】
原稿読取部６は、自動原稿搬送部５により搬送された原稿の画像を読み取り、読取データを生成する。
【００３８】
給紙部７は、複数の給紙トレイ８ｄ〜８ｆを備え、それぞれの給紙トレイ８ｄ〜８ｆに収容された用紙を画像形成部９に対して供給する。また、給紙部７は、給紙装置２から画像形成装置３に供給された用紙を、画像形成部９に対して供給する。
【００３９】
画像形成部９は、原稿読取部６が生成した読取データ、又は後述するデータＩＦ（Ｉｎｔｅｒｆａｃｅ）部３５が取得した印刷データに基づいて、給紙部７により供給される用紙に対し画像形成を行う。
【００４０】
画像形成部９は、Ｙ（イエロー）色、Ｍ（マゼンタ）色、Ｃ（シアン）色、Ｋ（ブラック）色（以下、Ｙ色〜Ｋ色のように示すことがある）それぞれに対応する、感光体１１、帯電部１２、像露光部１３、現像部１４、一次転写部１５、クリーニング部１６を備える。また、画像形成部９は、Ｙ色〜Ｋ色で共通の、中間転写体１７と、レジストローラー対１８、二次転写部１９、定着部２０を備える。
【００４１】
以下、Ｙ色に対応する、感光体１１、帯電部１２、像露光部１３、現像部１４、一次転写部１５、クリーニング部１６について説明する。帯電部１２は感光体１１を帯電する。像露光部１３は、レーザー光を照射することで、帯電された感光体１１に静電潜像を形成する。現像部１４は、感光体１１に形成された静電潜像に対応するトナー像を感光体１１上に現像する。一次転写部１５は、感光体１１上に現像されたトナー像を中間転写体１７に一次転写する。クリーニング部１６は、中間転写体１７に転写されずに感光体１１上に残ったトナーを、感光体１１上から除去する。
【００４２】
Ｍ色〜Ｋ色に対応する、感光体１１、帯電部１２、像露光部１３、現像部１４、一次転写部１５、クリーニング部１６についても、対応する画素のトナー像が重なるようにタイミングを合わせて、前述のＹ色と同様の動作が行われ、中間転写体１７上にＹ色〜Ｋ色のトナー像が形成される。
【００４３】
レジストローラー対１８は、給紙部７から供給される用紙の斜行補正を行い、中間転写体１７上に転写されたトナー像が用紙上の所定位置にくるようタイミングを合わせて、用紙を二次転写部１９に搬送する。二次転写部１９は、中間転写体１７上のトナー像を用紙上に二次転写する。
【００４４】
定着部２０は、用紙上に転写されたトナー像を定着させる。定着部２０は、加熱ローラー２１、加圧ローラー２２、搬送ローラー２３を備える。加熱ローラー２１と加圧ローラー２２とは圧接されてニップ部（定着ニップ部）が形成されており、定着ニップ部に用紙を通すことでトナー像が定着される。搬送ローラー２３は、トナー像が定着された用紙を下流へ搬送する。
【００４５】
定着部２０により、おもて面にトナー像が定着された用紙は、片面印刷時にはそのまま画像形成装置３の外に排出され、両面印刷時には、反転搬送路を経由して再度二次転写部１９に搬送され、うら面への画像形成が行われた後に画像形成装置３の外に排出される。
【００４６】
操作表示部１０は、画像形成システム１が実行するジョブに関する設定（ジョブ設定）や、画像形成システム１が備える機械に関する機械調整項目の機械調整値の更新を受け付ける。
【００４７】
後処理装置４は、ジョブ設定に応じて、画像形成装置３により画像形成された用紙に対して、折り／ステープル／穴あけ／製本等の後処理を施して排出する。
【００４８】
図２は、本発明の実施形態に係る画像形成システム１のハードウェアブロック図である。
画像形成システム１は、給紙装置２、画像形成装置３、後処理装置４を含む。
画像形成装置３は、制御部２７、記憶部２８、画像処理部２９、自動原稿搬送部５、原稿読取部６、画像形成部９、給紙部７、データＩＦ部３５、操作表示部１０を含み、それらがバス１００で接続されている。
【００４９】
制御部２７は、主としてＣＰＵ（Ｃｅｎｔｒａｌ  Ｐｒｏｃｅｓｓｉｎｇ  Ｕｎｉｔ）から構成されており、後述する記憶部２８に記憶されたプログラムを実行し、記憶部２８、画像処理部２９、自動原稿搬送部５、原稿読取部６、画像形成部９、給紙部７、データＩＦ部３５、操作表示部１０を制御することで、画像形成装置３の機能を実現する。また、給紙装置２、後処理装置４を制御することで、画像形成システム１の機能を実現する。
【００５０】
記憶部２８は、主として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｃ  Ｄｒｉｖｅ）を備える。記憶部２８は、制御部２７が実行するプログラムを含む、画像形成システム１の機能を実現するために必要なデータや、ジョブに関するデータを記憶する。ＨＤＤは、画像形成装置３が実行するジョブに関する情報を記憶するボックスとしての機能も実現する。記憶部２８の詳細な機能については、後述する。
【００５１】
データＩＦ部３５は、外部の装置（例えば、ＰＣ（Ｐｅｒｓｏｎａｌ  Ｃｏｍｐｕｔｅｒ）などの情報機器装置）又は記憶メディアとの間で、データ等の送受信を行うものであり、ＬＡＮ（Ｌｏｃａｌ  Ａｒｅａ  Ｎｅｔｗｏｒｋ）ＩＦ部３６、記憶メディアＩＦ部３７、ＦＡＸＩＦ部３８を含む。ＬＡＮＩＦ部３６は、有線又は無線方式のＬＡＮを介して、ＬＡＮに接続されたサーバーや、ＰＣ、携帯端末、他の画像形成装置３との間でデータの送受信を行う。記憶メディアＩＦ部３７は、可搬性記憶メディア（例えば、ＵＳＢ（Ｕｎｉｖｅｒｓａｌ  Ｓｅｒｉａｌ  Ｂｕｓ）メモリー）からデータを取得し、又は可搬性記憶メディアにデータを記憶させる。ＦＡＸＩＦ部３８は、ファクス回線を介してファクスデータの送受信を行う。
【００５２】
画像形成部９は、主として、感光体１１、帯電部１２、像露光部１３、現像部１４、一次転写部１５、クリーニング部１６、中間転写体１７、レジストローラー対１８、二次転写部１９、定着部２０により構成され、後述する画像処理部２９が出力する画像データに基づいて用紙に対する画像形成を行う。
【００５３】
操作表示部１０は、ディスプレイ２４、タッチパネル２５、操作キー２６を備える。
【００５４】
ディスプレイ２４は、例えば、液晶ディスプレイ（ＬＣＤ（Ｌｉｑｕｉｄ  Ｃｒｙｓｔａｌ  Ｄｉｓｐｌａｙ））であり、操作画面を表示することができる。操作画面は、操作画面は、画像形成に関する実行指示を受け付ける操作画面（実行指示画面７０）や機械調整値の更新を受け付ける操作画面（機械調整画面６１）を含む。実行指示画面７０と機械調整画面６１とについての詳細な説明については、後述する。
【００５５】
タッチパネル２５は、ディスプレイ２４の画面上に設けられ、ペンや指等で押下された座標位置を検知する。
【００５６】
操作キー２６は、例えばハードキーであり、テンキー、スタートキーを含む。テンキーは数字や記号の入力を受け付け、スタートキーは画像形成の開始の指示を受け付ける。
【００５７】
画像処理部２９は、例えば、ＦＰＧＡ（Ｆｉｅｌｄ  Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の画像処理用の集積回路であって、ＬＡＮＩＦ部３６や記憶メディアＩＦ部３７が取得した印刷データや、ＦＡＸＩＦ部３８が取得したファクスデータ、原稿読取部６が生成した読取データを入力データとし、入力データに対して画像処理を行い、画像データを画像形成部９に対して出力する。
【００５８】
画像処理部２９は、入力データ解析部３０、ラスターデータ生成部３１、シャープネス補正部３２、色変換部３３、ガンマ補正部３４を備える。
【００５９】
入力データ解析部３０は、入力データが、ＬＡＮＩＦ部３６や記憶メディアＩＦ部３７が取得したＰＤＬ（Ｐａｇｅ  Ｄｅｓｃｒｉｐｔｉｏｎ  Ｌａｎｇｕａｇｅ）形式の印刷データであった場合、印刷データに基づいて解析処理を行い、中間言語（ＤＬ：Ｄｉｓｐｌａｙ  Ｌｉｓｔ）データを生成する。尚、印刷データの形式は、ＰＤＬ形式に限らず、その他の形式をとることもできる。
【００６０】
ラスターデータ生成部３１は、入力データ解析部３０が解析し、生成したＤＬデータに対して、ラスタライズ処理を行うことで、ラスターデータを生成する。
【００６１】
シャープネス補正部３２は、ラスターデータ生成部３１が生成したラスターデータ又は原稿読取部６が生成した読取データに対して、シャープネス処理やスムージング処理を行う。シャープネス補正部３２は、例えば、文字領域や線画領域のエッジ部分にシャープネス処理を行い、網点領域にスムージング処理を行う。
【００６２】
色変換部３３は、シャープネス補正部３２の処理結果に対して色変換処理を行い、画像形成部９の色特性（色空間）に対応したＹＭＣＫデータを生成する。色変換部３３は、画像処理部２９に入力される入力データの色特性（色空間）に対応するデバイスリンクプロファイルを用いて、画像形成部９の色特性に対応したＹＭＣＫデータを生成する。例えば、入力データが、原稿読取部６が生成した読取データである場合は、原稿読取部６の色特性と画像形成部９の色特性に対応するデバイスリンクプロファイルを用いてＹＭＣＫデータを生成する。
【００６３】
ガンマ補正部３４は、色変換部３３が生成したＹＭＣＫデータに対し、濃度変換処理を行う。例えば、ガンマ補正部３４は、濃度変換用のルックアップテーブル（ＬＵＴ：Ｌｏｏｋ  Ｕｐ  Ｔａｂｌｅ）を記憶しており、色変換部３３が生成したＹＭＣＫデータに基づいて、濃度変換処理を行い、画像データを生成する。
【００６４】
なお、画像処理部２９は、画像形成装置３と一体である必要はなく、例えば、画像処理部２９を備える画像形成装置３とは別体のプリンターコントローラーが、画像形成装置３に接続される形態であっても良い。
【００６５】
本発明の実施形態に係る画像形成システム１は、機械調整画面６１において機械調整値の更新（入力）をユーザーから受け付けた後に、実行指示画面７０を操作表示部１０に表示するとき、実行指示画面７０と併せて、機械調整値の更新を受け付けるための更新ウィンドウ７１を表示させる。
【００６６】
図３は、本発明に係る画像形成システム１における操作画面を表示する制御に関する機能を示す機能ブロック図である。画像形成システム１は、制御部２７が、記憶部２８に記憶されたプログラムを実行し、図２のハードウェアブロック図に示す各構成を制御することにより、図３に示す機能を実現する。
【００６７】
一次更新受付部３９は、操作表示部１０に機械調整画面６１を表示させ、ユーザーから機械調整値の更新を受け付ける。機械調整画面６１が表示された状態での機械調整値の更新と、更新ウィンドウ７１が表示された状態での機械調整値の更新とを区別するため、以下の説明において、前者を一次更新、後者を二次更新と呼ぶことがある。
【００６８】
機械調整画面６１は、図１０に示すような階層構造となっており、ユーザーは、操作表示部１０に表示される操作画面上のキーを押下して操作画面を遷移させることにより、所望の機械調整項目に対応する機械調整画面６１を表示させることができる。ここで、機械調整画面６１を表示させるまでに遷移する画面のことを項目選択画面５２と呼ぶ。
【００６９】
実行指示受付部４０は、操作表示部１０に実行指示画面７０を表示させ、ユーザーから画像形成に関する実行指示を受け付ける。画像形成に関する実行指示には、例えば、試し刷りの実行指示が含まれる。実行指示画面７０の詳細については後述する。
【００７０】
二次更新受付部４１は、操作表示部１０が実行指示画面７０を表示するとき、機械調整画面６１において機械調整値の更新を受け付けたか否かを判断し、機械調整値の更新を受け付けていた場合には、機械調整値の更新を受け付けるための更新ウィンドウ７１を、実行指示画面７０と併せて操作表示部１０に表示させる。また、二次更新受付部４１は、操作表示部１０に表示した更新ウィンドウ７１において、ユーザーから機械調整値の更新を受け付ける。
【００７１】
ユーザーは、実行指示画面７０と更新ウィンドウ７１が表示された状態で、操作表示部１０を介して、更新ウィンドウ７１に表示された機械調整項目に対応する機械調整値を更新することができる。更新ウィンドウ７１の詳細については後述する。
【００７２】
画像形成実行部４２は、実行指示画面７０が表示された状態でジョブの実行指示を受け付けた場合、機械調整画面６１で受け付けた機械調整値に応じてジョブを実行する。
【００７３】
図４は、本発明の実施形態に係る画像形成システム１の記憶部２８が記憶する情報に関する機能ブロック図である。画像形成装置３は、制御部２７が、記憶部２８に記憶されたプログラムを実行し、図２のハードウェアブロック図に示す各構成を制御することにより、図４に示す機能を実現する。
【００７４】
機械調整画面記憶部４３は、画像形成システム１が受付可能な機械調整項目に対応する機械調整画面６１を表示するための情報を記憶する。
【００７５】
項目選択画面記憶部４４は、項目選択画面５２を表示するための情報を記憶する。
【００７６】
調整値記憶部４５は、機械調整値を記憶する。調整値記憶部４５は、機械調整画面６１においてユーザーが機械調整値を変更（更新）したことに対応して、変更後の機械調整値を記憶する（記憶された機械調整値を更新する）。また、調整値記憶部４５は、後述する更新ウィンドウ７１が表示された状態で操作表示部１０を介してユーザーにより機械調整値が更新されたことを受けて、記憶された機械調整値を更新する。ジョブの実行指示を受け付けたときには、調整値記憶部４５に記憶された機械調整値に基づいて画像形成が実行される。また、調整値記憶部４５は、機械調整画面６１において機械調整値が更新された場合、機械調整値が更新された機械調整項目の識別情報や機械調整値が更新された機械調整画面６１の識別情報も記憶する。
【００７７】
実行指示画面記憶部４６は、実行指示画面７０を表示するための情報を記憶する。
【００７８】
更新ウィンドウ記憶部４７は、更新ウィンドウ７１を表示するための情報を記憶する。
【００７９】
なお、記憶部２８は、図４に示す内容以外にも、画像形成システム１の機能を実現するための情報を記憶するが、本件発明と関連が低い内容については説明を省略する。
【００８０】
ここで、機械調整画面６１を介してユーザーが機械調整値を更新するまでの操作及び機械調整画面６１の内容について詳しく説明する。
【００８１】
画像形成システム１は、自システムの電源が投入されると、操作画面として、図５に示す初期画面５０を操作表示部１０に表示する。初期画面５０は、項目選択画面５２に遷移するための「調整」ボタン５１を備える。
【００８２】
画像形成システム１は、動作モードとして、機械調整画面６１において機械調整値の更新を受け付けることが可能な調整モードと、実行指示画面７０において画像形成の実行指示を受け付けることが可能な印刷モードを備え、初期画面５０において「調整」ボタン５１が押下されることにより印刷モードから調整モードに移行する。
【００８３】
画像形成システム１は、図５に示す初期画面５０において、ユーザーにより「調整」ボタン５１が押下されたことを受け付けて、図１０に示す階層構造に従って、項目選択画面５２や機械調整画面６１を操作表示部１０に表示する。
【００８４】
図５に示す初期画面５０において、ユーザーにより「調整」ボタン５１が押下されると、画像形成システム１は、図６（ａ）に示すような項目選択画面５２を操作表示部１０に表示する。項目選択画面５２は、その項目選択画面５２に至るまでに選択された上位階層の項目を表示する履歴ウィンドウ５３と、その項目選択画面５２でユーザーが選択できる下位階層の項目を表示する受付ウィンドウ５４を含む。
【００８５】
ユーザーは、履歴ウィンドウ５３に表示された項目を見ることで、図１０に示す階層構造における、現在の項目選択画面５２の位置（階層）を判断することができる。また、ユーザーは、履歴ウィンドウ５３に表示された項目のいずれかを押下することで、押下した項目に対応する上位階層の項目選択画面５２に移動（ジャンプ）することもできる。
【００８６】
受付ウィンドウ５４に表示されたいずれかのボタンが押下されると、画像形成システム１は、押下されたボタンに応じた下位階層の項目選択画面５２や機械調整画面６１を操作表示部１０に表示する。例えば、図６（ａ）に示す項目選択画面５２において、「マシン調整」ボタン５５が押下されると、画像形成システム１は、図６（ｂ）に示す項目選択画面５２を操作表示部１０に表示する。
【００８７】
また、図６（ａ）に示す項目選択画面５２において、「［調整］終了」ボタン５６が押下されると、画像形成システム１は、図５に示す初期画面５０を操作表示部１０に表示する。
【００８８】
図６（ｂ）は、マシン調整に対応する項目選択画面５２を示し、図６（ａ）と同様に履歴ウィンドウ５３と受付ウィンドウ５４を含む。図６（ｂ）に示す画面において、「終了」ボタン６７が押下されると、図５に示す初期画面５０に戻り、「閉じる」ボタン５８が押下されると、１つ前の画面である図６（ａ）に示す項目選択画面５２に戻る。
【００８９】
なお、履歴ウィンドウ５３においては、そのときに表示している画面に対応する項目が、他の項目とは異なる態様で表示される。図６（ｂ）の例では、マシン調整に対応する項目選択画面５２が表示されているため、履歴ウィンドウ５３においてマシン調整のボタンが強調表示されている。
【００９０】
図６（ｂ）に示す項目選択画面５２において、「タイミング調整」ボタン５９が押下されると、画像形成システム１は、図６（ｃ）に示す項目選択画面５２を操作表示部１０に表示する。図６（ｃ）における各ウィンドウや各ボタンの説明は図６（ｂ）と同様であるため繰り返しの説明は省略する。
【００９１】
図６（ｃ）に示す項目選択画面５２において、「プリンター先端タイミング調整（オモテ面）」ボタン６０が押下されると、画像形成システム１は、図７に示す機械調整画面６１を操作表示部１０に表示する。図７は、画像形成部９に給紙される用紙の給紙タイミングを調整する機械調整値を入力するための画面である。
【００９２】
図６（ａ）から図６（ｂ）へ遷移する場合や、図６（ｂ）から図６（ｃ）へ遷移する場合のように、受付ウィンドウ５４で押下されたボタンが項目選択画面５２に遷移するものであった場合には、画像形成システム１は、ボタンの押下に応じて対応する項目選択画面５２を操作表示部１０に表示する。一方、図６（ｃ）から図７へ遷移する場合のように、受付ウィンドウ５４で押下されたボタンが機械調整画面６１に遷移するものであった場合には、画像形成システム１は、ボタンの押下に応じて対応する機械調整画面６１を操作表示部１０に表示する。
【００９３】
図７を参照して、機械調整画面６１は、機械調整項目を表示する機械調整項目表示部６２と、機械調整項目に対応する機械調整値を表示する機械調整値表示部６３と、機械調整値の入力を受け付けるテンキー（機械調整画面）６４と、テンキー（機械調整画面）６４により入力された値を表示するテンキー表示部６５と、受け付けた機械調整値を確定させる「セット」ボタン６６と、実行指示画面７０に遷移するための「印刷モードへ」ボタン６７とを含む。
【００９４】
図７に示す例では、ユーザーは、機械調整項目のうちから「先端タイミング（トレイ１）」ボタン６２ａを選択し、テンキー（機械調整画面）６４により機械調整値を入力すると、その値が、一旦テンキー表示部６５に表示される。但し、この時点では、機械調整値表示部６３には反映されない。値がテンキー表示部６５に表示された状態で、ユーザーが「セット」ボタン６６を押下すると、機械調整値として確定され、機械調整値表示部６３に反映される。このとき、同時に、調整値記憶部４５が記憶する機械調整値も更新される。ユーザーは、「先端タイミング（トレイ１）」以外の機械調整項目についても、同様の操作で機械調整値を更新することができる。
【００９５】
ユーザーは、図７に示す機械調整画面６１において機械調整値の更新を行った後、「印刷モードへ」ボタン６７を押下することで実行指示画面７０に遷移し、試し刷りを実行させることができる。
【００９６】
次に、実行指示画面７０の内容について詳しく説明する。
画像形成システム１は、実行指示画面７０を表示するとき、自システムの電源が投入された後、機械調整画面６１において機械調整値の更新が行われたか否かを判断し、実行指示画面７０を操作表示部１０に表示するときの制御を切り替える。
【００９７】
画像形成システム１は、調整値記憶部４５に記憶されている、機械調整値が更新された機械調整項目の識別情報や機械調整値が更新された機械調整画面６１の識別情報に基づいて、機械調整画面６１において機械調整値の更新が行われたか否かを判断する。
【００９８】
具体的に、画像形成システム１は、機械調整画面６１において機械調整値の更新が行われずに、実行指示画面７０を操作表示部１０に表示する場合は、図８（ａ）に示すように、更新ウィンドウ７１は表示せずに、実行指示画面７０を操作表示部１０に表示する。
【００９９】
ユーザーは、実行指示画面７０において、ジョブ設定として、少なくとも給紙トレイ８の選択を行うことができる。ユーザーは、ジョブ設定を行った後、例えば、操作表示部１０のスタートキー（不図示）を押下することにより、試し刷りや通常のコピージョブ等の画像形成を実行することができる。このように、実行指示画面７０は、少なくとも給紙トレイ８の選択と画像形成の実行指示とを受け付け可能な操作画面である。ここで、実行指示を受付可能とは、実行指示画面７０に含まれるボタンの押下を受け付けることで実行指示を受け付け可能なだけでなく、実行指示画面７０が操作表示部１０に表示された状態で、実行指示画面７０以外のボタン（例えばスタートキー等のハードキー）の押下を受け付けることで実行指示を受付可能であることも意味する。
【０１００】
一方で、図７に示すような機械調整画面６１において機械調整値の更新が行われた後、ユーザーにより「印刷モードへ」ボタン６７が押下されると、図８（ｂ）に示すように、実行指示画面７０と併せて、先の機械調整画面６１（図７）で更新した機械調整項目の機械調整値を更に更新するための更新ウィンドウ７１も表示される。
【０１０１】
更新ウィンドウ７１には、機械調整値の一次更新が行われた機械調整画面６１に表示されていた機械調整項目のうち、一次更新された機械調整項目を含む一部または全部の機械調整項目についての項目名７２と対応する機械調整値とが表示される。
【０１０２】
更新ウィンドウ７１にいずれの機械調整項目を表示させるかは、調整値記憶部４５に記憶されている、機械調整値が更新された機械調整項目の識別情報や機械調整値が更新された機械調整画面６１の識別情報に基づいて決められる。
【０１０３】
実行指示画面７０が表示されるまでに、複数の機械調整画面６１において機械調整値の一次更新が行われた場合には、一次更新が行われた複数の機械調整画面６１に対応する機械調整項目についての項目名７２と機械調整値が更新ウィンドウ７１に表示される。
【０１０４】
更新ウィンドウ７１は、実行指示画面７０と同時に視認できる形態で表示されればよく、実行指示画面７０に重ねて表示されても良いし、実行指示画面７０と並べて表示されても良い。更新ウィンドウ７１を実行指示画面７０に重ねて表示する場合には、実行指示画面７０のうちで、何も表示されていない空き領域、または重要度の低い情報が表示されている領域に、更新ウィンドウ７１を表示することが好ましい。更新ウィンドウ７１を、実行指示画面７０のどの領域に重ねて表示するかを、ユーザーが予め選択できるようにしてもよい。
【０１０５】
ユーザーは、図８（ｂ）に示す実行指示画面７０において、ジョブ設定として、少なくとも給紙トレイ８の選択を行うことができる。ユーザーは、ジョブ設定を行った後、操作表示部１０のスタートキー（不図示）を押下することにより試し刷りを実行させることができる。このとき、機械調整画面６１において更新された機械調整値に基づいて試し刷りが実行される。
【０１０６】
試し刷りの結果、一次更新を行った機械調整項目について、所望の結果が得られなかった場合、ユーザーは、機械調整画面６１に戻ることなく、更新ウィンドウ７１を利用して機械調整値の二次更新を行うことができる。二次更新は、例えば、更新ウィンドウ７１に表示された項目名７２を押下することで、対象の機械調整項目を選択した上で、操作表示部１０が備えるテンキー（ハードキー）を介して機械調整値を入力することにより行うことできる。図８（ｂ）の例は、「先端タイミング（トレイ１）」が入力対象の機械調整項目として選択された様子を示し、「先端タイミング（トレイ１）」の項目名７２が強調表示されている。ユーザーは、二次更新の後、再度、操作表示部１０のスタートキー（不図示）を押下することにより、二次更新された後の機械調整値に基づいて試し刷りを実行させることができる。
【０１０７】
ここで、１つの機械調整画面６１の中には関連する機械調整項目が集められているところ、更新ウィンドウ７１は、一次更新が行われた機械調整画面６１に表示されていた機械調整項目のうち、一次更新された機械調整項目以外の機械調整項目も含むので、試し刷りの結果、一次更新された機械調整項目に関連する、他の機械調整項目を更新したい場合にも、機械調整画面６１に戻ることなく、更新ウィンドウ７１を介して機械調整値の更新を行うことができる。
【０１０８】
ユーザーは、図８（ｂ）の実行指示画面７０が表示された状態で、一次更新を行った機械調整画面６１に含まれる機械調整項目について所望の仕上がりが得られ、更に、他の機械調整画面６１についての調整を行いたい場合には、「印刷モード終了」ボタン７３を押すことにより、図１０に示す階層構造において、先に一次更新を行った機械調整画面６１の一階層上の項目選択画面５２に遷移することができる。
【０１０９】
例えば、図６（ｃ）の項目選択画面５２から図７の機械調整画面６１に遷移し、図７の画面において機械調整値の一次更新を行った後、図８（ｂ）の実行指示画面７０に遷移した後に、「印刷モード終了」ボタン７３が押下された場合、操作表示部１０に表示される操作画面は、図６（ｃ）の項目選択画面５２に遷移する。図１０に示す階層構造において、関連する機械調整項目は互いに近くに配置された機械調整画面６１に含まれている一方、試し刷りにおいては関連する機械調整項目を順次更新していることが多い。そこで、実行指示画面７０から、先に一次更新を行った機械調整画面６１の一階層上の項目選択画面５２に遷移することにより、ユーザーが次の機械調整画面６１を選択するときの操作性を向上させることができる。
【０１１０】
図１１、１２は、本発明の実施形態に係る画像形成システム１が実行する操作画面を表示する処理に関するフローチャートである。制御部２７は、記憶部２８に記憶されるプログラムを実行することにより、図１１、１２に示す処理を実現する。
【０１１１】
画像形成システム１は、操作表示部１０に初期画面５０を表示し（ステップＳ１０１）、ユーザーから調整モードへ移行するためのボタンの押下を受けたか否かを判断する（ステップＳ１０２）。具体的には、図５に示す画面において、「調整」ボタン５１の押下を受けたか否かを判断する（ステップＳ１０２）。
【０１１２】
画像形成システム１は、初期画面５０において、ユーザーから調整モードへ移行するためのボタンの押下を受けるまで待機し（ステップＳ１０２でＮｏ）、調整モードへ移行するためのボタンの押下を受けたと判断した場合（ステップＳ１０２でＹｅｓ）、操作表示部１０に項目選択画面５２を表示する（ステップＳ１０３）。
【０１１３】
画像形成システム１は、操作表示部１０に表示された項目選択画面５２で、画面遷移に対応するボタンの押下を受けたか否かを判断する（ステップＳ１０４）。ここで、画面遷移に対応するボタンとは、例えば、図６（ｂ）、６（ｃ）に示す項目選択画面５２の例では、受付ウィンドウ５４に表示されたボタンや、履歴ウィンドウ５３に表示されたボタン、「終了」ボタン６７、「閉じる」ボタン５８等のことをいう。
【０１１４】
画像形成システム１は、画面遷移に対応するボタンの押下を受け付けたと判断した場合（ステップＳ１０４でＹＥＳ）、押下されたボタンが、項目選択画面５２に対応するボタンであるか（ステップＳ１０５でＹＥＳ）、機械調整画面６１に対応するボタンであるか（ステップＳ１０６でＹＥＳ）、初期画面５０に対応するボタンであるか（ステップＳ１０６でＮＯ）を判断する。
【０１１５】
具体的には、画像形成システム１は、図６（ｂ）の例で、履歴ウィンドウ５３に表示されたボタンや「閉じる」ボタン５８、受付ウィンドウ５４に表示されたボタンが押下された場合に、押下されたボタンが項目選択画面５２に対応するボタンであると判断し（ステップＳ１０５でＹＥＳ）、図６（ｃ）の例で、受付ウィンドウ５４に表示されたボタンが押下された場合に、押下されたボタンが機械調整画面６１に対応するボタンであると判断し（ステップＳ１０６でＹＥＳ）、図６（ｃ）の例で、「終了」ボタン６７が押下された場合に、押下されたボタンが初期画面５０に対応するボタンであると判断する（ステップＳ１０６でＮＯ）。
【０１１６】
画像形成システム１は、押下されたボタンが項目選択画面５２に対応するボタンである場合（ステップＳ１０５でＹＥＳ）、ステップＳ１０３に進み、押下されたボタンに対応する項目選択画面５２を操作表示部１０に表示する。画像形成システム１は、押下されたボタンが機械調整画面６１に対応するボタンである場合（ステップＳ１０６でＹＥＳ）、ステップＳ２０１へ進み、機械調整画面６１を操作表示部１０に表示する。画像形成システム１は、押下されたボタンが初期画面５０に対応するボタンである場合（ステップＳ１０６でＮＯ）、ステップＳ１０１へ進み、初期画面５０を操作表示部１０に表示する。
【０１１７】
一方、画面遷移に対応するボタン以外についての操作を受け付けた場合（ステップＳ１０４でＮＯ）、画像形成システム１は、操作に対応するその他の処理を行い、ステップＳ１０４に戻る。
【０１１８】
画像形成システム１は、機械調整画面６１が表示された状態で（ステップＳ２０１）、機械調整値が入力され、「セット」ボタン６６の押下を受け付けると（ステップＳ２０２でＹＥＳ）、調整値記憶部４５が記憶する調整値を更新（一次更新）する（ステップＳ２０３）。
【０１１９】
画像形成システム１は、画面遷移に対応するボタンの押下を受けたか否かを判断する（ステップＳ２０４）。ここで、画面遷移に対応するボタンとは、例えば、図７に示す機械調整画面６１の例では、「印刷モードへ」ボタン６７や「前画面」ボタン６８等のことをいう。
【０１２０】
画像形成システム１は、画面遷移に対応するボタンの押下を受け付けたと判断した場合（ステップＳ２０４でＹＥＳ）、押下されたボタンが、実行受付画面に対応するボタンであるか（ステップＳ２０５でＹＥＳ）、項目選択画面５２に対応するボタンであるか（ステップＳ１０５でＮＯ）を判断する。
【０１２１】
具体的には、画像形成システム１は、図７の例で、「印刷モードへ」ボタン６７が押下された場合に、押下されたボタンが実行受付画面に対応するボタンであると判断し（ステップＳ２０５でＹＥＳ）、図７の例で、「前画面」ボタン６８が押下された場合に、押下されたボタンが項目選択画面５２に対応するボタンであると判断する（ステップＳ２０５でＮＯ）。
【０１２２】
画像形成システム１は、押下されたボタンが実行指示画面７０に対応するボタンである場合（ステップＳ２０５でＹＥＳ）、動作モードを印刷モードに変更し（ステップＳ２０６）、ステップＳ３０１へ進み、実行指示画面７０に関する表示・操作受付処理を行う。画像形成システム１は、押下されたボタンが項目選択画面５２に対応するボタンである場合（ステップＳ２０５でＮＯ）、ステップＳ１０３へ進み、押下されたボタンに対応する項目選択画面５２を操作表示部１０に表示する。
【０１２３】
図１２は、ステップＳ３０１の実行指示画面７０に関する表示・操作受付処理のサブルーチン処理を示す。
【０１２４】
図１２を参照して、画像形成システム１は、機械調整画面６１で一次更新が行われたか否かを判断し（ステップＳ４０１）、機械調整画面６１で一次更新が行われている場合は、図８（ｂ）に示すように、実行指示画面７０と併せて、更新ウィンドウ７１を表示する（ステップＳ４０２、４０３）。更新ウィンドウ７１には、ステップＳ２０３において一次更新された機械調整画面６１に表示されていた機械調整項目のうち、一次更新された機械調整項目を含む一部または全部の機械調整項目についての項目名７２と対応する機械調整値とが表示される。
【０１２５】
画像形成システム１は、操作表示部１０を介して、更新ウィンドウ７１に表示された機械調整項目に対する機械調整値が入力されると（ステップＳ４０４でＹＥＳ）、調整値記憶部４５が記憶する調整値を更新（二次更新）する（ステップＳ４０５）。
【０１２６】
画像形成システム１は、調整モードへ移行するためのボタンの押下を受けたか否かを判断する（ステップＳ４０６）。具体的には、画像形成システム１は、図７の例では、「印刷モード終了」ボタン７３が押下されたか否かを判断する。
【０１２７】
調整モードへ移行するためのボタンの押下を受けた場合（ステップＳ４０６でＹＥＳ）、画像形成システム１は、実行指示画面７０が表示される直前に表示されていた機械調整画面６１の一階層上の項目選択画面５２を指定し（ステップＳ４０７）、ステップＳ２０３に進み、その項目選択画面５２を操作表示部１０に表示する。つまり、画像形成システム１は、遷移元の機械調整画面６１の一階層上の項目選択画面５２を操作表示部１０に表示する。
【０１２８】
画像形成システム１は、画像形成の指示を受け付けると（ステップＳ４０８でＹＥＳ）、調整値記憶部４５が記憶する機械調整値に基づいて画像形成を実行する（ステップＳ４０９）。図１２には記載していないが、画像形成を実行するにあたり、画像形成システム１は、実行指示画面７０を介して、用紙種類選択等のジョブ設定をユーザーから受け付ける。
【０１２９】
画像形成システム１は、ユーザーからのその他の操作を受け付けた場合は、その操作に応じたその他の処理を行い、ステップＳ４０４に進む。
【０１３０】
一方、実行指示画面７０を表示するまでに機械調整画面６１で一次更新が行われてない場合は、図８（ａ）に示すように、更新ウィンドウ７１を表示せずに、実行指示画面７０を表示する（ステップＳ５１１）。なお、ステップＳ５１２〜Ｓ５１６の処理は、ステップＳ４０６〜Ｓ４１０の処理と同様のため、繰り返しの説明は省略する。
【０１３１】
なお、ステップＳ４０１において、機械調整画面６１で一次更新が行われていると判断されたときに更新ウィンドウ７１を表示させるか否かについて、予めユーザーから設定を受け付けておき、更新ウィンドウ７１を表示させない設定がなされている場合には、機械調整画面６１で一次更新が行われているか否かに関わらず、更新ウィンドウ７１を表示させないようにすることもできる。その場合は、ステップＳ４０１〜Ｓ４１０の処理は実行されず、常に、ステップＳ５１１〜Ｓ５１６の処理が実行される。更新ウィンドウ７１を表示させるか否かの設定は、例えば、画像形成システム１の管理者のみが変更できる、管理者モードの設定とすることができる。
【０１３２】
また、ステップＳ４０１において、画像形成システム１の電源投入を基準として、機械調整画面６１で一次更新が行われたか否かを判断するものとしたが、判断の時期的な基準は電源投入時に限られず、例えば、（試し刷り以外の）本番のジョブが実行されたことを受けて、調整値記憶部４５に記憶されている、機械調整値が更新された機械調整項目の識別情報や機械調整値が更新された機械調整画面６１の識別情報を消去するようにしておき、本番のジョブが実行されたときを基準として、それ以降に機械調整画面６１で一次更新が行われたか否かを判断するようにしてもよい。また、予め設定した所定のタイミングで（例えば、所定期間ごとに）、調整値記憶部４５に記憶されている、機械調整値が更新された機械調整項目の識別情報や機械調整値が更新された機械調整画面６１の識別情報を消去するようにしておき、予め設定した所定のタイミングを基準として、それ以降に機械調整画面６１で一次更新が行われたか否かを判断するようにしてもよい。
【０１３３】
このように、本発明に係る画像形成システム１は、操作表示部１０が、自システムが備える機械に関する機械調整項目の機械調整値を受け付け可能な機械調整画面６１、及び少なくとも給紙トレイ８の選択と画像形成の実行指示とを受け付け可能な実行指示画面７０を表示可能であり、制御部２７が、実行指示画面７０を表示するとき、機械調整画面６１において機械調整値が更新されていた場合は、機械調整画面６１に含まれる機械調整項目の機械調整値を更新するための更新ウィンドウ７１を、実行指示画面７０と併せて操作表示部１０に表示させる。
【０１３４】
このため、例えば、ユーザーが、試し刷りを行いながら、繰り返し機械調整値を行う場合に、機械調整画面６１と実行指示画面７０を切り替える操作が少なくて済むため、従来と比較して、機械調整値を更新する場合のユーザーの利便性を格段に向上させることができる。
【０１３５】
また、機械調整画面６１で機械調整値を更新した機械調整項目については、試し刷りの結果、再度、機械調整値を更新する可能性が高いところ、本発明に係る画像形成システム１は、更新ウィンドウ７１を表示するとき、機械調整値が更新された機械調整画面６１に含まれる機械調整項目のうち、機械調整値が更新された機械調整項目を含む、一部の機械調整項目を、更新ウィンドウ７１に含めて表示する。
【０１３６】
このため、例えば、ユーザーが、試し刷りを行いながら、繰り返し機械調整値を行う場合に、更新ウィンドウ７１に、更新される可能性の高い機械調整項目が含まれているため、機械調整画面６１に切り替える操作が少なくて済み、機械調整値を更新する場合のユーザーの利便性をより向上させることができる。
【０１３７】
また、本発明の実施形態に係る画像形成装置３は、予め更新ウィンドウ７１を表示させるか否かの設定をユーザーから受け付け、更新ウィンドウ７１を表示させる設定がなされている場合に、更新ウィンドウ７１を操作表示部１０に表示させても良い。
【０１３８】
（変形例１）
前述の実施例においては、更新ウィンドウ７１に、一次更新を行った機械調整画面６１に含まれる機械調整項目についての、項目名７２と対応する調整値を表示させ、項目名７２を押下することで更新対象の機械調整項目を選択し、操作表示部１０が備えるテンキー（ハードキー）を介して調整値を入力することとしたが、本変形例では、図９（ａ）を参照して、更新ウィンドウ７１に、調整値を入力（更新）するためのとしての調整ボタン７４を含め、調整ボタン７４を介してユーザーから調整値の変更を受け付ける。
【０１３９】
調整ボタン７４は、調整値を所定量増加させるインクリメントボタン７５と、調整値を所定量減少させるデクリメントボタン７６とを含む。
【０１４０】
ユーザーは、項目名７２を押下することで更新対象の機械調整項目を選択した上で、インクリメントボタン７５またはデクリメントボタン７６を押下することにより、機械調整値の更新を行うことができる。これにより、ユーザーは、更新ウィンドウ７１を操作するだけで機械調整値を更新することができるため、機械調整値を更新するときの操作性をより向上させることができる。
【０１４１】
（変形例２）
本変形例では、図９（ｂ）を参照して、前述の調整ボタン７４（インクリメントボタン７５・デクリメントボタン７６）に代えて、更新ウィンドウ７１に、調整値を入力するためのテンキー（更新ウィンドウ）７７を含め、更新ウィンドウ７１に含まれるテンキー（更新ウィンドウ）７７を介してユーザーから調整値の変更を受け付ける。
【０１４２】
ユーザーは、項目名７２を押下することで更新対象の機械調整項目を選択した上で、更新ウィンドウ７１に含まれるテンキー（更新ウィンドウ）７７で通知を入力することにより、調整値の更新を行うことができる。これにより、ユーザーは、更新ウィンドウ７１に含まれるテンキー（更新ウィンドウ）７７を利用して機械調整値を直接入力することができるため、機械調整値を更新するときの操作性をより向上させることができる。
【０１４３】
（変形例３）
実行指示画面７０と同時に表示する都合上、更新ウィンドウ７１の大きさは制限されるため、実行指示画面７０が表示される前に、相当数の機械調整項目について、機械調整画面６１において一次更新が行われると、項目名７２が更新ウィンドウ７１内に表示しきれない場合がある。
【０１４４】
本変形例では、図９（ｂ）を参照して、更新ウィンドウ７１に表示されていない項目名７２を表示させるための表示切替手段として項目名７２をスクロールするためのスクロールキー７８を含め、スクロールキー７８の押下に応じて項目名７２をスクロールさせることで、表示されていない項目名７２を表示させることができる。これにより、ユーザーは、更新ウィンドウ７１の大きさが制限されるために、項目名７２が更新ウィンドウ７１内に表示しきれない場合であっても、所望の項目名７２を表示させた上で調整値を更新することができ、機械調整値を更新するときの操作性をより向上させることができる。
【０１４５】
なお、更新ウィンドウ７１に表示されていない項目名７２を表示させるための表示切替手段は、スクロールキー７８に限らず、表示する項目名７２をページ単位で一度に切り替えるページ切替キーのようなものであっても良い。
【０１４６】
（その他の変形例）
なお、前述の実施形態及び変形例１〜３では、本件発明を適用する形態として給紙装置２と画像形成装置３と後処理装置４を備える画像形成システム１を例示したが、本件発明は、給紙装置２と画像形成装置３からなる画像形成システム１や画像形成装置３と給紙装置２とからなる画像形成システム１にも適用可能である。
【０１４７】
なお、前述の実施形態及び変形例１〜３では、本件発明を適用する形態として給紙装置２と画像形成装置３と後処理装置４を備える画像形成システム１を例示したが、本件発明は、単体の画像形成装置３にも適用可能である。
【０１４８】
また、本件発明は、操作表示部１０と制御部２７とを備える画像形成システム１または画像形成装置３であれば、例えば、プリント機能のみを備える所謂ネットワークプリンターにも適用可能であり、適用範囲は前述の具体的な形態に限られるものではない。
【０１４９】
なお、ユーザーからの操作とは、操作画面上の所定のボタンの押下に限定されない。例えば、操作表示部１０に接続されたマウス等のポインティングデバイスを介した操作指示であっても良い。
【０１５０】
なお、前述においては、実施形態や、変形例１〜３、その他の変形例について個別に説明したが、組み合わせた場合に不整合が生じない範囲で、それぞれの内容を適宜組み合わせて実施することができる。
【符号の説明】
【０１５１】
１      画像形成システム
２      給紙装置
３      画像形成装置
４      後処理装置
５      自動原稿搬送部
６      原稿読取部
７      給紙部
８      給紙トレイ
９      画像形成部鵜
１０    操作表示部
１１    感光体
１２    帯電部
１３    像露光部
１４    現像部
１５    一次転写部
１６    クリーニング部
１７    中間転写体
１８    レジストローラー対
１９    二次転写部
２０    定着部
２１    加熱ローラー
２２    加圧ローラー
２３    搬送ローラー
２４    ディスプレイ
２５    タッチパネル
２６    操作キー
２７    制御部
２８    記憶部
２９    画像処理部
３０    入力データ解析部
３１    ラスターデータ生成部
３２    シャープネス補正部
３３    色変換部
３４    ガンマ補正部
３５    データＩＦ部
３６    ＬＡＮＩＦ部
３７    記憶メディアＩＦ部
３８    ＦＡＸＩＦ部
３９    一次更新受付部
４０    実行指示受付部
４１    二次更新受付部
４２    画像形成実行部
４３    機械調整画面記憶部
４４    項目選択画面記憶部
４５    調整値記憶部
４６    実行指示画面記憶部
４７    更新ウィンドウ記憶部
５０    初期画面
５１    「調整」ボタン
５２    項目選択画面
５３    履歴ウィンドウ
５４    受付ウィンドウ
５５    「マシン調整」ボタン
５６    「［調整］終了」ボタン
６７    「終了」ボタン
５８    「閉じる」ボタン
５９    「タイミング調整」ボタン
６０    「プリンター先端タイミング調整（オモテ面）」ボタン
６１    機械調整画面
６２    機械調整項目表示部
６２ａ  「先端タイミング（トレイ１）」ボタン
６３    調整値表示部
６４    テンキー（機械調整画面）
６５    テンキー表示部
６６    「セット」ボタン
６７    「印刷モードへ」ボタン
６８    「前画面」ボタン
７０    実行指示画面
７１    更新ウィンドウ
７２    項目名
７３    「印刷モード終了」ボタン
７４    調整ボタン
７５    インクリメントボタン
７６    デクリメントボタン
７７    テンキー（更新ウィンドウ）
７８    スクロールキー
１００  バス
【図１】
2016129969.tif 000003
【図２】
2016129969.tif 000004
【図３】
2016129969.tif 000005
【図４】
2016129969.tif 000006
【図５】
2016129969.tif 000007
【図６】
2016129969.tif 000008
【図７】
2016129969.tif 000009
【図８】
2016129969.tif 000010
【図９】
2016129969.tif 000011
【図１０】
2016129969.tif 000012
【図１１】
2016129969.tif 000013
【図１２】
2016129969.tif 000014